(57)【特許請求の範囲】
【請求項１】
内容液の流路となる筒状部を有する注出具と該筒状部の開口を覆い、該筒状部に係合するキャップとからなるキャップ付注出具であって、前記キャップは、筒状部に係合固定されるキャップ本体及び該キャップ本体に脱着可能に係合される上蓋から成り、
前記キャップ本体は、スカート部及び頂板部から成り、該頂板部内面には筒状部内側面と密着するインナーリング、該インナーリングよりも内側に内容液注出用開口、及び該内容液注出用開口よりも中心側の頂板部内面にサポートリングが形成されており、
前記筒状部の内側面には、内方に突出し且つ先端がサポートリング外面に当接する環状フランジが形成されており、
容器内を陽圧にすることにより、キャップ本体頂板部がドーム状に変形し、サポートリングが該変形に追従して半径方向内方に変形して内容液の注出が可能になることを特徴とするキャップ付注出具。
【請求項２】
前記サポートリングの内面に、頂板部内面とサポートリング内面に連なるリブが形成されている請求項１記載のキャップ付注出具。
【請求項３】
前記頂板部のサポートリングの付け根外側に、薄肉部が形成されている請求項１又は２記載のキャップ付注出具。
【請求項４】
前記注出具が、前記筒状部の外面の下方部分にパウチとの溶着部を有する請求項１乃至３の何れかに記載のキャップ付注出具。
【発明の詳細な説明】
【技術分野】
【０００１】
本発明は、内容液の流路となる筒状部を有する注出具と該筒状部の開口を覆い、該筒状部に係合するキャップとからなるキャップ付注出具に関するものであり、より詳細には、容器を押圧することにより内容液の流通経路が形成されて内容液の取り出しが可能になるキャップ付注出具に関する。
【背景技術】
【０００２】
洗剤等の用途に用いられるキャップは、一般に、容器口部に嵌合固定されるキャップ本体及びキャップ本体頂板部に形成された開口を覆う上蓋から成っており、このようなキャップが適用された容器が横倒しになった場合、上蓋とキャップ本体頂板部で形成される空間に内容液が流出して、キャップ本体及び上蓋で区画されるキャップ内空間が内容液で汚染されたり、或いは液漏れが発生したりするおそれがある。
また、蓋を有する注出具付パウチ容器では、容器を支える部分がないため、蓋を開けた時点で不用意にパウチ容器の胴部を押圧して内容液が外部にでてしまうことがある。
このような問題を解決するものとして、容器を押圧（スクイズ）することにより、開放されるスリットから成る弁機構を備えたキャップも提案されている（特許文献１）。
また、内容液取出し後、容器を押圧することにより負圧になった容器内に空気が逆流することを防止するために、弁機構を採用することも提案されている（特許文献２，３）。
【先行技術文献】
【特許文献】
【０００３】
【特許文献１】特開平１０−８６９６１号公報
【特許文献２】特許第３９４９３４３号
【特許文献２】特許第４０４３６８２号
【発明の概要】
【発明が解決しようとする課題】
【０００４】
しかしながら、上述した先行技術で提案されるキャップは、キャップ或いは容器とは別途形成されたライナー材や或いは弾性部材を組み合わせる必要があり、機構が複雑であることから成形性及び生産性の点で十分満足するものではない。
従って本発明の目的は、簡単な構成でキャップ、容器口部をそれぞれ一体的に成形することが可能であり、成形性及び生産性に優れていると共に、確実な弁機構により内容液の注出及び止栓が可能なキャップ付注出具を提供することである。
【課題を解決するための手段】
【０００５】
本発明によれば、内容液の流路となる筒状部を有する注出具と該筒状部の開口を覆い、該筒状部に係合するキャップとからなるキャップ付注出具であって、前記キャップは、口部に係合固定されるキャップ本体及び該キャップ本体に脱着可能に係合される上蓋から成り、前記キャップ本体は、スカート部及び頂板部から成り、該頂板部内面には口部内側面と密着するインナーリング、該インナーリングよりも内側に内容液注出用開口、及び該内容液注出用開口よりも中心側の頂板部内面にサポートリングが形成されており、前記口部の内側面には、内方に突出し且つ先端がサポートリング外面に当接する環状フランジが形成されており、容器内を陽圧にすることにより、キャップ本体頂板部がドーム状に変形し、サポートリングが該変形に追従して半径方向内方に変形して内容液の注出が可能になることを特徴とするキャップ付注出具が提供される。
【０００６】
本発明のキャップ付注出具においては、
１．サポートリングの内面に、頂板部内面とサポートリング内面に連なるリブが形成されていること、
２．頂板部のサポートリングの付け根外側に、薄肉部が形成されていること、
３．注出具が、筒状部の外面の下方部分にパウチとの溶着部を有していること、
が好適である。
【発明の効果】
【０００７】
本発明のキャップ付注出具は、キャップと注出具との組合せにおいてキャップを一体成形することが可能であり、従来必須とされたライナー材や弾性部材を要することがなく、成形性及び生産性に優れている。
また簡単な機構で確実に内容液の注出及び閉栓が可能である。
本発明のキャップ付注出具に用いる容器は、パウチやスクイズ可能な樹脂ボトルを用いることができる。
【図面の簡単な説明】
【０００８】
【図１】本発明のキャップ付注出具の側断面図である。
【図２】図１に示すキャップ付注出具の上蓋を開け、弁を開放した状態の側断面図である。
【図３】図１に示すキャップ付注出具の上蓋を閉じた状態の側面図である。
【図４】図１に示すキャップ付注出具の下面図である。
【図５】図１に示すキャップ付注出具のキャップの下面図である。
【発明を実施するための形態】
【０００９】
本発明のキャップ付注出具を、図１乃至図５に示したキャップ付注出具に適用した場合で詳細に説明する。
全体を１で示すキャップ付注出具は、概略的に言って、パウチ２に溶着固定される注出具１０、注出具１０に嵌合固定されるキャップ本体３０、キャップ本体３０の頂板部を覆い、キャップ本体とヒンジ５０により一体的に成形されて成る上蓋４０から成っている。
【００１０】
注出具１０は、概略的に言って、内容液を注出するための筒状部１１及び筒状部１１の外面の下方部分に形成されたパウチを溶着固定する溶着部１２から成っている。
筒状部１１は、内部に注出用貫通路１３を有しており、この注出用貫通路１３は、これを介してパウチ２の内容液の注ぎ出しが行われる。
また、筒状部１１の外面には、上記溶着部１２の上方に上部フランジ１４が形成されている。この上部フランジ１４は、このキャップ付注出具或いはこのキャップ付注出具がセットされたパウチ２を搬送する際に把持するためのものである。  筒状部１１の外面には、上記上部フランジ１４の上方部分に、後述するキャップ本体を嵌合固定するための係合突起１５が形成されている。筒状部１１の内面には、半径方向内方に突出する環状フランジ１６が形成されている。この環状フランジ１６の先端は、後述するキャップ本体のサポートリングの下方外面と密着する。
【００１１】
筒状部１１の外面には、上部フランジ１４よりやや下方に下部フランジ１７が形成され、下部フランジの下方に溶着部１２が形成されており、溶着部１２においてパウチ２に溶着固定される。パウチ２が溶着される溶着部１２には、横リブ１９が複数（図３では３個）形成されている。この横リブ１９によりパウチと均一な溶着が可能となり接着強度の向上が図られる。また溶着部１２には、下面から上方に延びる凹部２０が筒状部の両側に設けられている。
【００１２】
キャップ本体３０は、頂板部３１及びスカート部３２から成り、スカート部３２の内面には、上述した注出具１０の係合突起１５と係合してキャップ本体を固定するための係合用突起３３が形成されており、また頂板部３１の内側にはインナーリング３４が形成されており、これらによってキャップ本体は注出具に嵌合固定されている。
また頂板部３１の内側には、インナーリング３４よりも内側に内容液注出用開口３５が形成されており、更に内容液注出用開口３５よりも中心側の頂板部内面にサポートリング３６が形成されている。このサポートリング３６で区画される頂板部３１ａの肉厚は、他の部分３１ｂに比して薄肉に形成されていると共に、サポートリングの付け根外周側の頂板部３１内面には、環状凹部３７が形成され、頂板部が薄肉化されている。更に、サポートリング３６の内面側には、頂板部３１ａ内面とサポートリング３６内面に連なるリブ３８が３つ形成されている。このリブ３８は、頂板部から下方に行くに従ってサポートリング３６内面からの突出量が少なくなるテーパ状に形成されている。
更に頂板部３１の外側には、内容液注出開口３５を取り囲むようにして、周状突起３９が設けられており、これにより、内容液の注ぎ出しに際して、この周状突起３９が案内となって、液の注ぎ出しをスムーズに行うことができる。
【００１３】
上蓋４０の内面には、これを閉じた時に、前記周状突起３９の内周面に密着し得るような周状下方突起４１が形成されており、これにより、上蓋４０を閉じると、内容液注出開口３５が完全に閉じられ、良好な密封性が確保される。
尚、図１及び図２に示されるように、開口予定部１１を取り囲むように設けられている周状突起３９は、キャップ本体３０と上蓋４０とのヒンジ連結部５０と反対側の半周部分３９ａは背が高く、且つヒンジ連結部５０側の半周部分３９ｂは背が低く形成されていることが好ましい。これにより、上蓋４０を閉じた時、上蓋４０に設けられている周状下方突起４１がスムーズに周状突起３９内に入り込み、上蓋４０の旋回が妨げられることがなく、また、内容液の注ぎ出しはヒンジ連結部５０とは反対側から行われるため、周状突起３９の注ぎ出し用案内としての機能が損なわれることもない。
【００１４】
図１に示すように、本発明のキャップ付注出具においては、注出具１０の環状フランジ１６の先端が、サポートリング３６の下方外面と密着しているため、上蓋４０を開放しても、この状態では内容液はパウチ２、注出具１０、キャップ本体３０のサポートリング３６、及びサポートリング３６で区画されるキャップ本体３０の頂板部３１で形成される空間内にとどまっている。
本発明においては、パウチ２を押圧して、かかる空間内の圧力を陽圧にすることにより、サポートリング３６で区画された薄肉の頂板部３１ａは、ドーム状に変形し、この変形に追従してサポートリング３６の下方は半径方向内方に撓むように変形する。特に図１及び図２に示す具体例においては、環状凹部３７及びリブ３８の存在と相俟って、頂板部３１ａの変形に追従した変形をサポートリング３６に生じさせやすくなっている。
このように、サポートリング３６が内側に撓むことにより、図２に示すように、注出具１０に形成された環状フランジ１６の先端とサポートリング３６外面の間に空隙３が生じ、この空隙３を通って、内容液注出開口内容液３５への流出が可能となる。またパウチの押圧を中止すれば、サポートリング３６は元の形状に戻るので、再び環状フランジ１６の先端とサポートリング３６外面が密着して、液密性が確保される。
【００１５】
本発明のキャップ付注出具は、上述したパウチ等に適用される注出具に限定されず、スクイズ可能な樹脂ボトルの口部に係止される注出具としても同様に適用できる。
すなわち、上述した具体例における注出具の部分が容器口部に該当し、この容器口部の内側面に環状フランジを形成し、上述したキャップ本体を取り付けることにより、同様の作用効果を奏することができる。また容器としては、押圧により容易に変形可能な所謂スクイズボトルに好適に使用できる。
また図１乃至図５に示した具体例においては、上蓋がキャップ本体にヒンジ連結されたヒンジキャップであったが、これに限定されるものではなく、キャップ本体に螺子係合や或いは嵌合固定により着脱可能なものであってもよい。
また図１乃至図５に示した具体例においては、注出用開口がキャップ本体頂板部に予め形成されていたが、これに限定されるものではなく、キャップ本体頂板部外面側に注出用開口を区画するスコア及びスコア破断用のタブを形成し、内容液の使用開始に当たって注出用開口を形成するものであっても勿論よい。また予め注出用開口を形成しておく場合には、アルミニウム積層体等のシール材で注出用開口をシールしておくことが望ましい。
【００１６】
更に頂板部の変形に追従するサポートリングの変形をより容易に行わせるためにサポートリング内側に形成される、頂板部及びサポートリング内側に連なるリブは、図１乃至図５に示した具体例のように、下方に行くに従ってサポートリング３６内面からの突出量が減少するものであることが、サポートリングの内側への変形を容易にすると共に、成形性の点で好ましい。またリブの縦方向長さ、突出量、肉厚、或いは個数は、サポートリングの内径、肉厚、或いは縦方向長さ等によって一概に規定することはできないが、頂板部の変形を損なうことなく、サポートリングの変形を補助するという点からは、リブは薄肉で、リブの縦方向長さはサポートリングの薄肉頂板部３１ａから環状フランジ上端までの長さの１５％乃至１００％の長さを有するものであることが望ましい。
【００１７】
本発明のキャップ付注出具は、例えば図１乃至図５に示した注出具付きパウチの場合、注出具、キャップ本体及び上蓋の各部材を、それぞれ射出成形や押出成形等の従来公知の成形法により一体的に成形し、これらをパウチに組み付けることにより容易に成形することができる。
またスクイズ可能な樹脂ボトルの場合は、上述と同様の方法で成形されたキャップ付注出具を樹脂ボトルの口部に係止することにより容易に組み付けることができる。
また本発明のキャップ付注出具を構成可能な樹脂は、従来キャップ、注出具、容器等に使用されている溶融成形可能な熱可塑性樹脂を用いることができ、これに限定されないが、ポリエチレン、ポリプロピレン等を好適に使用することができる。
【産業上の利用可能性】
【００１８】
本発明においては、容器の押圧により容易に内容液の流出路を形成することが可能な弁機構を提供することが可能であり、簡単な構成で生産性及び経済性よく成形することができ、特に洗剤等の液体に使用される、汎用の注出具付きパウチ、或いはキャップ付き容器として好適に使用することができる。
【符号の説明】
【００１９】
１  キャップ付注出具、２  パウチ、３  空隙、１０  注出具、１１  筒状部、１２  溶着部、１３  注出用貫通路、１４  上部フランジ、１５  係合突起、１６  環状フランジ、１７  下部フランジ、１９  横リブ、２０  凹部、３０  キャップ本体、３１  頂板部、３２  スカート部、３３  係合用突起、３４  インナーリング、３５  内容液注出用開口、３６  サポートリング、３７  環状凹部、３８  リブ、３９  周状突起、４０  上蓋、４１  周状下方突起、５０  ヒンジ連結部。
【図１】
0005390318.tif 000002
【図２】
0005390318.tif 000003
【図３】
0005390318.tif 000004
【図４】
0005390318.tif 000005
【図５】
0005390318.tif 000006